(57)【要約】【課題】 取引カードによる精算処理において、カード精算処理に必要な各種読取機能を備え、精算処理の追跡調査が容易で取引の真正を証明する証拠能力の高い店舗控用レシートを提供すること。【解決手段】  取引カード（クレジットカード等）による精算処理の際に、店舗情報１１、取引内容１２、使用された取引カードの画像データ１３、及び署名欄１４を設けた店舗控用レシート１０を発行して、顧客に署名を求め、署名済みの店舗用レシート１０を保管することにより上記課題を解決した。本発明にかかる店舗控用レシート１０には、取引カードの画像データ１３が印刷されており、印刷されている画像の取引カードが使用されたことが顧客の署名１４により証明されているので、証明力の高い、店舗控用レシートとなる。また、画像データに基づいて、カード番号等の入力ミスについても、問題が発生した時点で容易に検証可能となる。【選択図】  図１
2006099175.tif 000002
【特許請求の範囲】
【請求項１】
精算対象となる取引情報と、
精算に使用される取引カードの画像データと、
取引カードの使用者が署名する署名欄と、
を備えることを特徴とする店舗控用レシート。
【請求項２】
前記取引情報として、取引店舗名、取引の日付、取引内容、及び取引の金額を含むことを特徴とする請求項１に記載の店舗控用レシート。
【請求項３】
さらに取引を特定するためのレシート番号、使用された取引カードの番号、取引の相手方の氏名、取引のあった店舗の住所及び電話番号の少なくとも一つを含むことを特徴とする請求項２に記載の店舗控用レシート。
【請求項４】
前記取引カードの画像データとして、前記取引カードに記載されている前記取引カードの使用者の署名を含むことを特徴とする請求項１に記載の店舗控用レシート。
【請求項５】
前記署名欄として、線分を含むことを特徴とする請求項１に記載の店舗控用レシート。
【請求項６】
取引カードによる精算における店舗控用レシートの発行方法であって、
（ａ）取引対象品目、金額、取引数量を含む所定の取引情報を入力する工程と、（ｂ）前記取引カードの電子記録データを読み取る工程と、
（ｃ）前記カード表面の画像データを取得する工程と、
（ｄ）入力された前記所定の取引情報を含む前記取引情報と、前記カード情報と、前記画像データと、前記取引カード使用者の署名欄とを所定のフォーマットに従い印刷する工程と、
を備えることを特徴とする店舗控用レシートの発行方法。
【発明の詳細な説明】
【技術分野】
【０００１】
本発明は、クレジットカード等の取引カードによる取引処理に関し、特にクレジット取引において発行する店舗控用の伝票またはレシート（本明細書では、単に「店舗控用レシート」と称する）及びその発行方法に関する。
【背景技術】
【０００２】
スーパーマーケット、その他の小売店、またはレストラン等の飲食店において、顧客の購入商品又は取引の会計処理（精算処理）は、顧客の希望により、クレジットカード会社が発行したクレジットカード又は商品またはサービスの提供企業が発行する自社専用の取引カード等を用いて、信用取引により支払い料金の精算が行われることがある（本発明においては、このような信用取引カードを「取引カード」と称する）。このような場合には、取引カード上に記録された電子記録データを取引カード読取装置により読み取り、読み取った情報に基づいて、取引カードによる所定の精算処理を実効する。
【０００３】
取引カードによる精算、例えば、クレジットカードによる精算は、精算金額の大きさ等の所定の条件に応じてカードの信用照会が行われ、取引に問題がない場合には、印刷装置によりクレジットカードの番号、取引内容の明細、署名欄等が印刷された伝票又はレシートが発行される。顧客は取引内容を確認した後、印刷内容に問題がなければ、伝票の署名欄に署名する。署名された伝票又はレシートは、取引の真正を証明する証拠として、店舗により所定期間保管される。
【０００４】
このようなクレジットカードによる精算処理においては、何らかの原因により、クレジットカードの電子記録データを取引カード読取装置により読み取ることができない場合、又は信用照会ができない場合がある。このような場合でも、必要なクレジット情報をオペレータがキー入力して精算処理を続行することができる。そのような場合には、クレジットカード上に凹凸の刻印により印刷されたカード番号(これを「エンボス」と称する)を、インプリンタにより所定の伝票上に物理的に写し取り（転写して）、証拠として保存している（このような転写を、以下「インプリント」と称する）。
【０００５】
一方、カードの画像を機械的に読み取り個人情報としてデータベース化して記憶する技術として、運転免許証の画像を読取り、データベース化する情報収集システムが提案されている（特許文献１参照）
【特許文献１】特開平９−６２８２７号公報
【発明の開示】
【発明が解決しようとする課題】
【０００６】
しかし、特許文献１に記載の技術は、個人情報取得のために画像データを取得するものではあるが、磁気読取装置及びプリンタの機能を融合してクレジットカードの精算処理を効率化することについては、何も開示されておらず示唆されてもいない。
【０００７】
一方、上述のようなインプリントによるカードデータの保存は、クレジットカード（取引カード）のエンボス文字を転写用紙上に擦り付けて転写するため、エンボス文字を磨耗させ、または破損するおそれがある。また、インプリント文字は不鮮明であるという問題に加えて、インプリント操作は面倒な上に不愉快で大きな音を発生させるので、レストラン等の所定の静寂さが求められる店舗によっては、店舗イメージを害するおそれがある等の問題もある。
【０００８】
さらに、近時、特定個人のキャッシュカードやクレジットカードの情報を不法に盗み取り、本物と全く同一の電子記録データを記録したクレジットカードを偽造して、不正に使用するという犯罪が頻発している。このような状況下においては、顧客の使用を証明するために、できるだけ高い証拠能力を有する証拠資料を保持しておくことが望ましい。信用取引額をクレジット口座から引き落とす際に、顧客が自己のクレジットカード（取引カード）の使用を否定して、支払いを拒否した場合に、店舗控資料の証拠能力が低い場合には信用取引ロスが発生するおそれがあるからである。このような状況に鑑み、取引カードによる精算には、より証拠能力の高い資料を確保しておくことが望まれる。
【０００９】
本発明はかかる従来技術の問題に鑑みてなされたものであり、取引カードによる精算処理において、取引処理に使用されたクレジットカード等の取引カードの真正を証明する証拠能力の高い店舗控用レシート及びその発行方法を提供することを目的とする。
【課題を解決するための手段】
【００１０】
本発明は、取引カード（クレジットカード等）による精算処理の際に、取引内容、使用された取引カードの画像データ、及び署名欄を設けた店舗控用レシートを発行して、顧客に署名を求め、署名済みの店舗用レシートを保管することにより上記課題を解決した。本発明にかかる店舗控用レシートには、取引カードの画像データが印刷されており、印刷されている画像の取引カードが使用されたことが顧客の署名により証明されているので、証明力の高い、店舗控用レシートとなる。また、画像データに基づいて、カード番号等の入力ミスについても、問題が発生した時点で容易に検証可能となる。
【００１１】
本発明の第１の態様にかかる店舗控用レシートは、精算対象となる取引情報と、精算に使用される取引カードの画像データと、取引カードの使用者が署名する署名欄とを備えることを特徴とする。取引カードの画像データが印刷されているので、後日、店舗控用レシートを確認するだけで、カード番号の入力ミスを発見することが可能となる。また、精算時において、印刷された画像を確認の上、使用者の署名がなされるので、より証明力の高い資料を取得でき、クレジットカード等の信用取引のロスを抑制可能となる。
【００１２】
本発明の他の態様にかかる店舗控用レシートは、取引情報として、取引店舗名、取引の日付、取引内容、及び取引の金額を含むことを特徴とする。これらの詳細な取引情報を印刷しておくことにより、トラブル発生時に、より正確に確認することが可能となる。
【００１３】
本発明の他の態様にかかる店舗控用レシートは、さらに取引を特定するためのレシート番号、使用されたクレジットカードの番号、取引の相手方の氏名、取引のあった店舗の住所及び電話番号の少なくとも一つを含むことを特徴とする。レシート番号を印刷しておくことにより、店舗控用レシートの検索が容易となる。
【００１４】
本発明の他の態様にかかる店舗控用レシートは、さらに取引カードの画像データとして、取引カードに記載されている署名を含むことを特徴とする。当該レシートに顧客の直筆の署名も記載するようにすると、その場で両方の署名を見比べることができ、即座に本人かどうかの識別が可能であり、また両方の署名の記録を残すことで、より証明力の高い店舗控用レシートを得ることができる。
【００１５】
本発明の他の態様にかかる店舗控用レシートは、さらに署名欄に線分を含むことを特徴とする。取引カード使用者が署名する際、線分によって書き易くすることができ、また署名欄が目立ち易くなる。
【００１６】
本発明の第１の態様にかかる店舗控用レシートの発行方法は、取引カードによる精算における店舗控用レシートの発行方法であって、（ａ）取引対象品目、金額、取引数量を含む所定の取引情報を入力する工程と、（ｂ）取引カードの電子記録データを読み取る工程と、（ｃ）カード表面の画像データを取得する工程と、（ｄ）入力された所定の取引情報を含む取引情報と、カード情報と、画像データと、取引カード使用者の署名欄とを所定のフォーマットに従い印刷する工程と、を備えることを特徴とする。
【００１７】
これらの処理手順については、精算処理端末装置による制御、または印刷装置による制御のいずれであってもかまわない。また、特定の条件を満足した場合のみ、取引カードの画像を含む店舗控用レシートを発行してもかまわない。さらに、店舗控用レシートは、一枚のレシート用紙上に印刷されても、所定の形式の伝票上に印刷されてもよい。取引カードの画像データ以外の印刷情報、及び印刷フォーマットは、希望に応じて任意に確定することができる。
【発明の効果】
【００１８】
本発明によると、精算時に、取引内容に関する所定の事項に加えて、取引カードの画像が印刷された店舗控用レシートが発行されて、顧客の署名を得た上で店舗に保管される。このように使用されたカードの画像を記録として保管しておくことにより、問題が発生したときに、使用されたカードの真正について、外観面から確認することが可能となる。また、店舗控用レシートには、顧客の署名がなされている。すなわち、取引内容とその精算に使用されたカードの外観が一枚のレシート上に一体不可分に印刷され、その内容を顧客自身が認証しているので、署名済みの店舗控用レシートは証明力の高い資料となる。
【発明を実施するための最良の形態】
【００１９】
図面を用いて本発明の最良の実施形態を説明する。
【００２０】
本発明は、取引カードによる精算に関するものであるが、以下の説明においては、取引カードの典型例である、クレジットカードを使用する場合を用いて説明する。例えば、レストランで食事をし、又は各種店舗で所定の商品を購入した際には、精算カウンタ（レジ）において、精算処理を行なう。精算カウンタでは、提供したサービスに関するデータ入力又は購入商品データ入力が行われ、入力データに基づいて顧客の支払い合計金額が算出され、印刷装置により顧客用のレシートとして渡される。
【００２１】
クレジットカードによる支払いの場合には、磁気記録読取装置（ＭＳＲ）により、クレジットカードに記録されている磁気記録データが読み取られ、さらに必要に応じて、画像読取装置によりクレジットカードの画像情報を取得することが可能である。次に、印刷装置により、店舗控用レシートが印刷されて、顧客が署名をして店舗の控え証明として保管される。
【００２２】
本発明においては、クレジットカードの画像を取得した場合には、店舗控用レシートに、取引情報（購入商品名、支払い金額等）、及び顧客の署名欄等の他に、取得したクレジットカードの画像データが印刷される。顧客は、提示された店舗控用レシートに印刷された内容を確認した上で、間違いがなければ確認した証として自己の署名をし、店舗側に返却する。店舗ではクレジットカードに記載された署名と店舗控用レシートに直筆で書かれた署名とを比較して、本人確認を行う。このとき、クレジットカードに記載された署名も画像データとして取り込み店舗控用レシートに印刷しておくと、同じレシート上に顧客の直筆の署名がなされるので、その場で両方の署名を見比べることができ、即座に本人かどうかの識別が可能である。
【００２３】
署名されて返却された店舗控用レシートは、所定の期間、店舗または管理部門に保管される。これらの書類は、クレジットカード会社からの問合せや、クレジットカードの使用についての顧客からの質問、またはクレーム等があった場合に、取引の存在を証明する書類として使用される。本発明にかかる店舗控用レシートは、使用明細及び使用されたクレジットカードの画像が一体となっている一枚の用紙であり、その用紙上の顧客の署名がなされているので、現実の取引の実態をより正確に追跡でき、署名者の確認した範囲をより明確に証明することが可能となる。
【００２４】
このようなクレジットカードの画像データの印刷は、磁気記録データを読み取ることができなかった場合のみ、画像データを取得し、店舗控用レシートに印刷するような構成とすることも可能であるが、すべてのクレジット取引において、画像データを印刷した店舗控用レシートを発行するものとすることも可能である。なお、本発明の実施形態の説明では、クレジットカードの磁気記録データを磁気記録読取装置により読み取る例で説明しているが、ＩＣカード化されたクレジットカードの場合、記録された電子データを不図示の接触型あるいは非接触型のＩＣカード読取装置で読み取るようにしても良い。
【００２５】
（店舗控用レシートの実施例）
まず、図１に、本発明により発行される店舗控用レシート１０の一実施例を示す。最上段に定型の店舗名と電話番号等の店舗情報１１が印刷され、その下には、購入者の名前と精算日及び取引データ１２が印刷されている。取引データとしては、購入商品名「ＡＢＣＤＥＦＧ」とその値段、割引金額、及び消費税額及び支払い合計金額が例示されている。さらにその下には、取得したクレジットカードの画像１３が印刷されており、最下段に線分が引かれた署名欄１４が設けられている。顧客はこれらの印刷内容に間違いがないかを確認した上で、クレジットカードによる精算処理を認めることの意思表示として署名をする。これらの情報に加えて、さらに、クレジットカード番号、レシート番号等の情報を印刷するようにすることも可能である。
【００２６】
また、図１では示していないが、署名欄１４の直近上部に、「本レシートに印刷されている支払額を、上記画像のクレジットカードにより精算することを希望する」旨の意思表示を示す文言(文章)を印刷しておくことも可能である。また署名欄１４の上部にクレジットカードに記載された署名も画像データとして取り込み、印刷しておくことも可能である。
【００２７】
本発明にかかる店舗控用レシートは、クレジットカードの画像を備えることを特徴とするものであり、クレジットカードの画像以外の印刷項目については、本発明を実施する個々の店舗等において必要とする印刷項目を自由に追加し、または削除することができる。例えば、店舗控用レシートとジャーナルとに同じ連番を付してリンクさせることにより、店舗控用レシート上は、精算合計金額のみを記載することも可能である。取引内容に対する証明能力が低下するが、スーパー等のような店舗において取引項目（購入商品）が多い場合に、店舗控用レシートの印刷量が取引内容により変動することがなくなり、店舗控用レシートのサイズが固定されるので、保管が容易となる。
【００２８】
（店舗控用レシートを発行するシステムの構成例）
図２は、本発明にかかる店舗控用レシートを発行するための店舗システムの一例を示す機能ブロック図である。図２の例では、ＰＯＳサーバとＰＯＳ端末装置とからなるＰＯＳシステムの例を示しているが、スタンドアロンの精算端末装置であっても、本発明の適用は可能である。また、ＰＯＳサーバ２１は、複数の店舗または売り場を管理するＰＯＳセンタの管理システムに接続されていてもよい。
【００２９】
ＰＯＳサーバ２１には精算端末装置としてＰＯＳ端末装置２２が接続されており、ＰＯＳ端末装置２２からの要求に応じて、購入商品の価格情報を提供するとともに、在庫情報、販売情報を販売時点で即時に更新する。ＰＯＳ端末装置２２は、キー入力装置、バーコードスキャナ、表示機等（図示せず）を備えている。また、ＰＯＳ端末装置２２には、さらに印刷装置２３、磁気読取装置２４、画像読取装置２５、ＣＡＴ端末２６が接続されている。
【００３０】
ＣＡＴ端末２６は、クレジットカードの与信状況をオンラインで確認するための照会端末であり、ＰＯＳシステムに接続されて、ＰＯＳシステムからのクレジットカード番号に基づいて与信照会を行う構成とすること、または、ＰＯＳシステムとは切り離して、独立した照会端末として使用することも可能である。ＣＡＴ端末２６は、通常、精算額が所定金額以上のときに、クレジットカードの与信状況を確認するために利用される。
【００３１】
本発明にかかる店舗控用レシートは、印刷装置２３、磁気読取装置２４、画像読取装置２５を備える精算端末により発行可能であるが、図２に示すように、各装置が個々に独立している必要はない。むしろ、図３に示すように、印刷装置内に印刷機能、磁気読取機能、画像読取機能を統合することにより、精算カウンタの占有面積を少なくすることができ、操作上の利便性の高くなる。
【００３２】
以下、第３図に示す精算処理システムを用いて、本発明にかかる店舗控用レシートを発行について説明する。図３の印刷装置３０は、印刷機能の他、磁気読取機能、及び画像読取機能を有する。図３においては、印刷装置３０の各機能を印刷部２３ａ、磁気読取部２４ａ、画像読取部２５ａとして示している。
【００３３】
図３のシステムを用いた精算処理手順を簡単に説明する。例えば、スーパーマーケットにおいて顧客が所定の商品を購入すると、ＰＯＳ端末装置２２により、その商品に貼付されたバーコードがバーコードスキャナにより読み取られ、読み取られたバーコードデータに基づいて、購入商品の名称、価格データ等の商品情報が取引情報として入力される。ＰＯＳ端末装置２２には、印刷装置３０が接続されている。
【００３４】
クレジットカード等の取引カードの場合には、印刷装置３０の磁気読取部２４ａにより磁気記録データが読み取られ、必要に応じて、画像読取部２５ａによりクレジットカードの画像データが読み取られる。印刷装置３０は、入力されたデータに基づいて、印刷用紙、伝票用紙等に、顧客用レシート及び店舗控用レシート１０等を印刷する。カードの画像データを取得した場合には、店舗控用レシート上に画像データが印刷される。
【００３５】
印刷装置３０の磁気読取部２４ａは、クレジットカードを案内する読取溝に沿ってスライド移動させることにより、クレジットカードに記録された磁気記録データを読み取る。画像読取部２５ａは、例えば、ＣＣＤ、又はＣＭＯＳ等からなるエリアセンサを備えており、クレジットカード表面のイメージデータ（画像データ）を取得し、電子データとして記憶する。画像読取手段として、コンタクトイメージセンサ（ＣＩＳ）を用いることもできるが、ＣＩＳの場合、エンボス文字の鮮明な画像を取得することが困難な場合もあるので、上述のような非接触型の画像読取手段を用いることが望ましい。
【００３６】
図４及び図５に、図３に示す印刷装置の例を示す。図４は、印刷装置３０の斜視図であり、図５は、その中央縦断面図である。この印刷装置３０は、図３に示すとおり、印刷部２３ａ、磁気読取部２４ａ、画像読取部２５ａを備え、印刷機能に加えて、磁気記録読取機能、及び画像読取機能を有している。
【００３７】
印刷装置３０の内部には、印刷用紙をロール状に巻き込んだロール紙４０が収納されている。ロール紙４０から引出された印刷用紙は、印刷ヘッド３７を通過することにより印刷され、印刷後のレシートを所定の位置で切断する可動刃３８を経て、レシート発行口３９から排出される。
【００３８】
磁気読取部２４ａには、クレジットカードをスライドさせる読取溝３１を備えている（図４参照）。読取溝３１の内部には、クレジットカード上の磁気記録データを読み取るための磁気読取ヘッド（図示せず）を備えている。
【００３９】
画像読取部２５ａには、正面に、ガラス等のような透明に近い透光性を有する平面プレートを備える撮像台３２が設けられている。撮像台３２は、後方に向って斜めに上方に傾斜している。クレジットカードの画像を取得する場合には、撮像したい面を下にして撮像台３２上にクレジットカード７０（図５参照）を載置して、撮像を行う。撮像台３２には、クレジットカード７０を支持するための支持ガイド３３が設けられている。
【００４０】
撮像台３２の裏側（画像読取部２５ａの内部）には、撮像素子としてＣＣＤ、Ｃ−ＭＯＳ等のエリアセンサ３６（図５参照）が設けられており、クレジットカード７０の画像データを取得することができる。尚、撮像台３２のガラス面の裏側をＣＩＳが接触移動するように構成することにより（図示せず）、ＣＩＳにより画像取得を行うよう構成することも可能である。
【００４１】
クレジットカード７０の撮像は、撮像スイッチ３４を設けて、撮像スイッチ３４を押下することにより撮像を開始するよう構成しても、クレジットカード７０が撮像台３２上にセットされたことをセンサ（図示せず）により検知して、検知後所定期間が経過した後に自動的に撮像する構成としてもよい。読み取られた画像データは、印刷装置３０内の画像記憶部に一時記憶または長期記憶されて、精算端末装置２２からの印刷命令に応じて、店舗控用レシート１０上に印刷される。
【００４２】
さらに、顧客の署名が完了した店舗控用レシート１０を撮像台３２上に載置して、署名後の店舗控用レシート１０を撮像し、撮像した画像データを検索可能に記憶する構成とすることも可能である。この場合には、取得した画像データは、精算端末装置、その他のいずれの装置内に記憶しても良いが、汎用的なＯＳで動作する端末装置内に記憶するのは、セキュリティの観点より好ましくない。従って、独自の仕様で動作する印刷装置３０内に記憶するのが望ましい。
【００４３】
図６に、図３乃至図５に示す印刷装置３０の機能ブロック図を示す。印刷装置３０は、外部装置であるＰＯＳ端末装置等の精算端末装置２２とのインタフェース５１、制御部５２、印刷バッファ５３、印刷機構５４、磁気読取部２４ａ、エリアセンサ等からなる画像読取部２５ａ、及び画像記憶部６０を備えている。制御部５２は、印刷装置３０の全体動作を制御する他、磁気読取制御部５６、画像読取制御部５７等を備えている。さらに、画像データから取引カード番号を読み取る（デコードする）デコード処理部５８を設けることもできる。
【００４４】
印刷装置３０は、インタフェース５１を介して、ＰＯＳ端末装置等の精算端末装置に接続され通信を行う。磁気読取部２４ａにより読み取られたデータは制御部５２及びインタフェース５１を介して、精算端末装置２２に送信される。画像読取部２５ａは、画像読取制御部５５の制御の下、撮像台３２に置かれたクレジットカード７０を撮像し、クレジットカード７０の画像データを取得する。取得した画像データは画像記憶部６０に一時記憶される。画像データは、印刷命令に基づいて、印刷バッファに転送され、店舗控用レシート上に印刷される。
【００４５】
また、署名後の店舗控用レシートの画像データを、画像読取部２５ａにより読み取ることにより、画像記憶部６０に検索可能に記憶することができる。検索可能に記憶するとは、例えば、店舗控用レシート番号、クレジット番号、または日付及び顧客の氏名等を検索キーにして、対応する画像データを検出して読み出すことができるように、記憶することをいう。検索は、精算端末装置等からの検索命令に従い、画像検索制御部５９により行う。
【００４６】
記憶部６０はいわゆるＲＡＭやフラッシュＲＯＭ等のメモリーであっても、ディスク装置、またはＤＶＤ等の記録装置であっても良い。また、前述したように、セキュリティの観点からは、これらの画像データは印刷装置内に記憶することが好ましいが、精算端末装置、その他の装置内に記憶することも可能である。
【００４７】
（店舗控用レシートの発行手順）
次にフローチャートを用いて、店舗控用レシートの発行手順を説明する。図７は、図２または図３に示すような精算システムを用いて、本発明にかかる店舗控用レシートを発行する処理手順の一実施形態を示すフローチャートである。
【００４８】
レストラン、美容マッサージ等においては食事の提供等の各種サービスの提供が終了すると、精算カウンタにおいて、提供サービス又は購入商品の名称、価格等の取引データが、バーコードスキャナやキー入力装置により精算端末装置に入力される（Ｓ１０１）。クレジットカードによる精算の場合には、顧客から受領したクレジットカードの磁気記録データを読み取る（Ｓ１０２）。磁気記録データの読み取りエラーの場合には（Ｓ１０３；Ｙｅｓ）、オペレータがクレジットカードに記録されているカード番号を読み取り、キー操作により入力する（Ｓ１１０）。磁気記録データを読み取ることができた場合（Ｓ１０３；Ｎｏ）、またはキー入力が終了すると（Ｓ１１０）、クレジットカード表面の画像データを取得する（Ｓ１０４）。次に、取引金額等の所定の条件に応じて（Ｓ１０５）、ブロック８１において使用されるクレジットカードの与信状況がチェックする。
【００４９】
与信チェックを行う場合（Ｓ１０５；Ｙｅｓ）、ＣＡＴシステム等を通じて、オンラインにより与信確認システムへ与信照会を行う（Ｓ１０６）。与信照会により、当該クレジットカードの与信状況に問題がある場合には（Ｓ１０７；Ｎｏ）、クレジットカードによる取引を中止する（Ｓ１１１）。
【００５０】
与信チェックを行わない場合（Ｓ１０５；Ｎｏ）、または与信状況に問題がない場合（Ｓ１０７；Ｙｅｓ）には、クレジットカードの画像が印刷された店舗控用レシートを発行する（Ｓ１０８）。顧客が店舗控用レシートを確認して署名を行うと、精算端末機により、精算処理を行い、顧客用のレシートが発行され（Ｓ１０８）、次の精算処理を行うためのスタンバイ状態となる。
【００５１】
この例では、顧客による署名の終了後に、精算処理及びレシートを発行する構成を示したが、与信チェック完了後（Ｓ１０７；Ｙｅｓ）、または与信チェック不要の判断後（Ｓ１０５；Ｎｏ）すぐに精算処理を実行し、店舗控え用レシートと、顧客用レシートを連続して出力するようにすることも可能である。その際、レシート出力の順番はいずれが先でもよく、顧客用のレシートを先に印刷した後に店舗控用レシートを印刷するように構成してもよい。
【００５２】
図８は、本発明にかかる店舗控用レシートを発行する精算処理手順の他の実施形態を示すフローチャートである。この実施形態では、クレジットカードの磁気記録データを読み取り可能か否かにより（Ｓ２０３）、クレジットカードの画像のない店舗控用レシートを発行するか（Ｓ２０７）、画像を印刷した店舗控用レシートを発行するか（Ｓ２１３）を決めている。磁気記録データの読取が可能な場合には後日トラブルが発生する可能性が少ないのに対して、磁気記録データの読み取りができない場合には、キー入力操作の誤りのおそれもあり、後日トラブル発生可能性も比較的高い。
【００５３】
このような場合に、店舗控用レシートにクレジットカードの画像が印刷されていると、後日トラブルが生じた場合に、画像からカード番号の確認が可能である上、カードの表面デザインの確認も可能である。これにより、入力ミスの確認、不正カードの使用等の判別も可能となるからである。
【００５４】
磁気記録データを正常に読み取ることができる場合には（Ｓ２０３；Ｎｏ）、与信を確認の必要に応じて使用されるクレジットカードの与信状況の確認が行われる（Ｓ２０４、Ｓ２０５，Ｓ２０６）。与信チェックにより、クレジットカードの使用が認められない場合には（Ｓ２０６；Ｎｏ）、クレジットカードによる取引は中止され（Ｓ２１５）、クレジットカードによる取引は中止される（Ｓ２１５）。この場合には、現金取引に切り替える処理手順とすることも可能である。
【００５５】
与信チェックに問題がない場合（Ｓ２０６；Ｙｅｓ）、または与信確認不要の場合には（Ｓ２０４；Ｙｅｓ）、クレジット画像のない店舗控用レシートが印刷される（Ｓ２０７）。店舗控用レシートは、クレジットカードの画像が印刷されていないことを除き、前述の店舗控用レシート１０と同様の内容が印刷されている。顧客から署名済みの店舗控用レシートを受領すると、取引の精算処理内容が確定し、顧客用レシートが発行される（Ｓ２１４）。
【００５６】
磁気記録データの読取エラーが発生すると（Ｓ２０３；Ｙｅｓ）、画像読取装置により、クレジットカードの画像データが取得される（Ｓ２０８）。その後、カード番号が入力され（Ｓ２０９）、必要に応じて与信チェックが行われ（Ｓ２１１、Ｓ２１２）、与信不可の場合には（Ｓ２１２；Ｎｏ）、取引を中止する（Ｓ２１５）。与信可能である場合には（ｓ２１２；Ｙｅｓ）、印刷装置から、クレジットカードの画像を印刷した店舗控用レシートを発行する（Ｓ２１３）。顧客から署名入りの店舗控用レシートを受領すると、取引の精算処理が確定され、顧客用レシートが発行される。
【００５７】
尚、図７、図８において、与信チェックのブロック８１、８２は、省略するよう構成することも可能である。
【００５８】
また、図３にかかる印刷装置３０を用いて、磁気記録データの読取処理、クレジットカードの画像読取処理、店舗控用レシート印刷処理、署名済みの店舗控用レシートの記憶処理等の、本発明にかかるクレジットカードによる精算処理に伴う特有の精算処理のすべて制御部５２により制御するように構成することにより、印刷装置３０を導入するだけで、ＰＯＳ端末装置及びＰＯＳシステムの仕様を変更することなく、本発明にかかる店舗控用レシートを発行することが可能となる。
【図面の簡単な説明】
【００５９】
【図１】本発明の処理手順により発行される店舗控用レシートの例を示す図である。
【図２】本発明にかかる印刷装置を用いた、取引カードによる精算処理方法を実現するための店舗システムの一例を示す機能ブロック図である。
【図３】本発明にかかる印刷装置を用いた、取引カードによる精算処理方法を実現するための店舗システムの他の例を示す機能ブロック図である。
【図４】本発明の一実施例にかかる印刷装置を示す斜視図である。
【図５】図３に示す印刷装置の中央縦断面図である。
【図６】図３に示す印刷装置の機能ブロック図である。
【図７】取引カードによる精算処理において、本発明にかかる店舗控用レシートの発行処理手順の一実施形態を示すフローチャートである。
【図８】取引カードによる精算処理において、本発明にかかる店舗控用レシートの発行処理手順の他の実施形態を示すフローチャートである。
【符号の説明】
【００６０】
１０  店舗控用レシート                  １１  店舗情報
１２  取引情報                          １３  クレジットカードの画像データ
１４  署名欄                            ２３、３０  印刷装置
２４  磁気読取装置                      ２５  画像読取装置
３１  読取溝                            ３２  撮像台
３３  支持ガイド                        ３４  撮像スイッチ
３６  エリアセンサ                      ３７  印刷ヘッド
３８  可動刃                            ３９  レシート排出口
４０  ロール紙                          ７０  取引カード
【図１】
2006099175.tif 000003
【図２】
2006099175.tif 000004
【図３】
2006099175.tif 000005
【図４】
2006099175.tif 000006
【図５】
2006099175.tif 000007
【図６】
2006099175.tif 000008
【図７】
2006099175.tif 000009
【図８】
2006099175.tif 000010